(57)【要約】  使用中、毛及び粒子を拾い上げるのに適したクリーニングデバイス(１１０)であって、一体形成されたワイパブレード(１１２)及びワイパブレード(１１２)に隣接する一体形成されたチャネル(１４０)を含む面を備えるユニット式のエラストマー性本体を備え、その本体部分が、ラテックスを含まない、独立気泡エラストマー発泡体から製造される、クリーニングデバイス(１１０)。適宜に、デバイス(１１０)は、アーチ状の前方ワイパブレード(１１２)及び平坦な後続ワイパブレード(１１４)を備える。デバイスは、動物の手入れをするために並びに／又は表面のある範囲からペットの毛及び他の破片を拾い上げるために、ラテックスに対してアレルギー体質のユーザによって使用され得る。
2018515318.tif 000002
【特許請求の範囲】
【請求項１】
使用中、毛及び粒子を拾い上げるのに適したクリーニングデバイスであって、一体形成されたワイパブレード及び前記ワイパブレードに隣接する一体形成されたチャネルを含む面を備える、ユニット式のエラストマー性本体を備え、前記本体部分が、ラテックスを含まない、独立気泡エラストマー発泡体から製造される、クリーニングデバイス。
【請求項２】
前記ラテックスを含まない、独立気泡エラストマー発泡体が、エチレン酢酸ビニル(ＥＶＡ)を含む、請求項１に記載のクリーニングデバイス。
【請求項３】
複数の一体形成されたワイパブレードを備える、請求項１又は請求項２に記載のクリーニングデバイス。
【請求項４】
前記ワイパブレードのうちの第１のものが、アーチ状外形を備え、前記ワイパブレードのうちの第２のものが、底が概ね平坦の外形を備える、請求項３に記載のクリーニングデバイス。
【請求項５】
前記又は各ワイパブレードが、１つ以上の横断溝をその中に備え、その結果、前記ワイパブレード又は複数のブレードが、前記横断溝によって分離された複数の別個のブロック部分を備える、請求項１〜４のいずれかに記載のクリーニングデバイス。
【請求項６】
複数の一体形成されたチャネルを備える、請求項１〜５のいずれかに記載のクリーニングデバイス。
【請求項７】
前記エラストマーが、電気的に絶縁性である、請求項１〜６のいずれかに記載のクリーニングデバイス。
【請求項８】
前記エラストマーが、抗菌性添加剤を含む、請求項１〜７のいずれかに記載のクリーニングデバイス。
【請求項９】
前記又は各チャネルが、典型的には、約２〜約２０ｍｍの深さを有する、請求項１〜８のいずれかに記載のクリーニングデバイス。
【請求項１０】
前記チャネルの側壁又は端壁が、実質的に９０度の角度において、前記ワイパブレードの中へと導く、請求項１〜９のいずれかに記載のクリーニングデバイス。
【請求項１１】
前記チャネルの側壁又は端壁が、実質的に３０〜５０度の角度において、前記ワイパブレードの中へと導く、請求項１〜１０のいずれかに記載のクリーニングデバイス。
【請求項１２】
前記ワイパブレードが、四角形縁、先細り縁、面取り縁、及び曲線縁を含む群のうちのいずれか１つ以上を備える、請求項１〜１１のいずれかに記載のクリーニングデバイス。
【請求項１３】
チャネルが、下を切り取られた溝を備える、請求項１〜１２のいずれかに記載のクリーニングデバイス。
【請求項１４】
前記下を切り取られた溝が、前記デバイスの片側から他方側へ横方向に延在する、請求項１３に記載のクリーニングデバイス。
【請求項１５】
それらの対応するチャネルをわずかに越えて突出する縁によって画定された一連のワイパブレードを形成する複数の下を切り取られた溝を備える、請求項１３又は１４に記載のクリーニングデバイス。
【請求項１６】
前記本体部分の表面が、小塊のアレイを備える、請求項１〜１５のいずれかに記載のクリーニングデバイス。
【請求項１７】
前記小塊が、溝によって分離された概ね角錐台形状のブロックの格子状アレイを含む、請求項１６に記載のクリーニングデバイス。
【請求項１８】
前記本体部分が、複数の細長いチャネルを備え、前記複数の細長いチャネルは、１組の長手方向のワイパブレード、及び１組の横方向のワイパブレードを画定する、請求項１〜１７のいずれかに記載のクリーニングデバイス。
【請求項１９】
前記本体部分が、４つの長手方向のワイパブレード及び４つの横方向のワイパブレードを画定する、輪形状のチャネルによって囲まれた概ね直線の中央チャネルを備える、請求項１〜１７のいずれかに記載のクリーニングデバイス。
【請求項２０】
前記本体部分が、凸状の、概ね平滑な表面を更に備える、請求項１〜１９のいずれかに記載のクリーニングデバイス。
【請求項２１】
前記本体部分が、比較的狭い部分及び比較的広い部分を備える、請求項１〜２０のいずれかに記載のクリーニングデバイス。
【請求項２２】
前記本体部分が、人間工学的な形状及び／又は寸法を含む、請求項１〜２１のいずれかに記載のクリーニングデバイス。
【請求項２３】
前記本体部分は、約５ｃｍの幅、約１７ｃｍの長さ、及び約３ｃｍの高さがある、請求項２２に記載のクリーニングデバイス。
【請求項２４】
前記本体部分が、動物に似せて形作られた側部外形を備える、請求項１〜２３のいずれかに記載のクリーニングデバイス。
【請求項２５】
前記動物が、クロコダイル、猫、犬、及び齧歯類を含む群のうちのいずれか１つ以上を含む、請求項２４に記載のクリーニングデバイス。
【請求項２６】
添付図面を参照して及び前記添付図面に例解されるような、実質的に前に説明されたようなクリーニングデバイス。
【発明の詳細な説明】
【技術分野】
【０００１】
本発明は、ラテックスを含まない、独立気泡エラストマー発泡体から製造されるクリーニングデバイス、特に、限定するものではないが、汚物、粉塵、破片、及びペットの毛を拾い上げる及び／又は収集するのに適したデバイスに関する。
【０００２】
例えば、猫及び犬などのペットは、年中、それらの毛を落とす傾向があり、それは、床、家具、寝具類、衣類等を含むどこにでも及び至る所に辿り着く可能性がある。ペットの毛は、例えば、居住及び／若しくは商業用エリア、又は車内において、特に、衣類又は織物製の調度品からきれいに掃除することが困難であり得る。なぜなら、それは、織物にくっついて、その中に埋まる傾向があるからである。種々のデバイスが、望まれないペットの毛への対処に役立つように開発されている。
【０００３】
可能であれば、真空掃除機の使用が、ペットの毛を取り除くための最も効率的な方法の１つであると考えられる。しかしながら、これは比較的に時間浪費的であるのみならず、一部の状況において、真空掃除機の使用は、(例えば、ユーザが電源の近くにいない場合)不可能であるか、又は避けられている(例えば、掃除機をかけることは、時折、衣類を痛めることがある)。コードレスであり、かつ特に衣類からの毛の除去に適合された、いくつかの真空掃除機が開発されているが、これらは、高価であり得、汎用的ではない可能性がある。
【０００４】
電力供給源を必要としない代替のデバイスとして、ブラシ、ローラ、及びミット等が挙げられ、それらを、以下により詳細に説明する。
【０００５】
第１に、ブラシは、動物が毛を落とす前に、すなわち、根源において、動物からペットの毛を取り除くために使用することができる。実際、定期的なブラッシングは、望まれない毛の堆積を減らすことができるが、ブラシは、一般に、清掃面において非効率的である。
【０００６】
第２に、ローラ、例えば、糸くずローラを使用することができ、それは、ペットの毛及び他の破片が使用中に接着する粘着性又は接着性表面を含む。糸くずローラの弱点は、それらが、特に、汚い表面上で使用されるときに、粘着性をすぐに失うことが多いことである。接着性表面が取り替えられる可能性(それは高価であり得る)がない限り、ローラは、すぐに効力を失う。
【０００７】
第３に、ユーザによって手袋様に装着されるように適合されたミットが、動物、表面、及び衣類からペットの毛を取り除くために使用されることが多い。ミットを装着しているユーザは、表面、例えば、衣類に対してミットを押し付けて、こする。ミットが、電気的に絶縁性の材料から製造される場合、静電荷がミット上に蓄積し、それゆえ、静電引力によって、毛及び汚物粒子をミットに引き寄せる。ミットは、ゴムから作られることが多く、それゆえ、洗濯及び再使用することができるが、器用さ(左又は右の利き手)の弱点及びサイズの問題(「１つのサイズが全ての人に合う」ミットは、まれにしか、あらゆるユーザに合わない)に悩まされる。
【０００８】
前述から、ペットの毛及び他の破片を拾い上げるために使用され得るクリーニングデバイスが存在するが、それらは、汎用性の欠如、高い現行の費用、及び効率の欠如に悩まされ得ることが認識される。それゆえ、多くのペットの所有者は、異なるシナリオのためのいくつかの異なるデバイス、すなわち、家庭の表面から毛を取り除くための真空掃除機と、衣類から毛を取り除くためのローラと、を必要とする傾向がある。これは、潜在的に不必要な重複をもたらし得る。
【発明の概要】
【発明が解決しようとする課題】
【０００９】
したがって、ペットの毛を拾い上げるデバイスと関連付けられた上記問題に対する解決策及び／又は代案の必要性が存在する。
【課題を解決するための手段】
【００１０】
発明の種々の態様は、添付の特許請求の範囲に規定されている。
【００１１】
発明のある態様によれば、使用中、ペットの毛及び粒子を拾い上げるのに適したクリーニングデバイスであって、一体形成されたワイパブレード及びワイパブレードに隣接する一体形成されたチャネルを含む面を備えるユニット式の、エラストマー性本体を備える、クリーニングデバイスが提供される。
【００１２】
発明の別の態様によれば、使用中、ペットの毛及び粒子を拾い上げるのに適したクリーニングデバイスであって、ユニット式の、エラストマー性本体部分を備え、その本体部分が、少なくとも１つの一体形成されたワイパブレード及びその又は各ワイパブレードに隣接する少なくとも１つの一体形成されたチャネルを含む少なくとも１つの面を備える、クリーニングデバイスが提供される。
【００１３】
クリーニングデバイスは、ワイパブレード、つまり、表面と係合し、かつペットの毛、及び他の粉塵／汚物／破片粒子に作用する縁を備える。したがって、ワイパブレードは、ブレード及び／又は縁及び／又はトレッド又は同様の任意の他の構成を備えてもよい。
【００１４】
使用中、クリーニングデバイスの面は、きれいにされるべき表面を横断することができる。そうすることによって、ワイパブレードは、毛及び／又は他の汚物粒子を表面から持ち上げて、毛及び／又は汚物粒子は、ワイパブレードに隣接するチャネル内に保持及び／又は蓄積される。
【００１５】
発明の一定の及び／又は好適な実施形態では、２つ以上のワイパブレード及び／又は２つ以上のチャネルが存在する。
【００１６】
クリーニングデバイスは、ユニット式の本体部分を備え、すなわち、エラストマーのシングルピースから製造される。便利なことには、したがって、本体部分を成形プロセスによって製造することができ、それは、デバイスの製造費用及び／又は複雑性を減らし得、並びに／あるいは(例えば、本体部分から取り外す部分が存在しないので)耐久性を向上し得る。
【００１７】
本体部分は、ラテックスを含まない、独立気泡エラストマー発泡体から製造される。
【００１８】
適宜に、ラテックスを含まないエラストマー発泡体は、エチレン酢酸ビニル(ＥＶＡ)を含む。エラストマーは、いくつかの有用な特性を有する。第１に、それらは、弾性的に変形可能であり、それは、本体部分、特に、ワイパブレード又は複数のブレードが、使用中、非平坦表面に適合することを容易にし、それは、デバイスの有効性を向上し得る。第２に、エラストマー性材料、特に、発泡エラストマーは、比較的計量であり、場合によっては、比較的高い摩擦面を有し、それゆえ、デバイスの手動操作を容易にする。第３に、エラストマー性材料は、一般に、良好な電気絶縁体であり、それは、面、ブレード、又はチャネル上の静電荷の蓄積を容易にし得、それは、毛及び／又は汚物粒子を拾い上げること並びに／あるいは保持することを容易にし得る。
【００１９】
適宜に、エラストマー性材料は、発泡体及び／又は樹脂エラストマー材料を含む。適宜に、エラストマー性材料は、独立気泡、発泡体／樹脂エラストマー材料を含む。独立気泡エラストマー発泡体／樹脂の使用は、いくつかの理由のために有利であり得る。第１に、独立気泡性質は、デバイスが、水及び／又は湿気を吸収することを防ぐあるいは阻止し、それは、デバイスのクリーニングを容易にし得(例えば、それが流水下で洗い落とされることを可能にし)、及び／又はその寿命を改善し得る(すなわち、その表面は、より早く乾き得、その場合、水は、材料の塊内に保持されない)。第２に、独立気泡発泡体材料を使用することによって、表面が摩損される場合／とき、下面に露出した新しい表面が、元の表面と同じ独立気泡構造を有し、それゆえ、デバイスが、ダメージを受けた後、摩滅された後、擦り減らされた後等でさえも使用されることを可能にする。
【００２０】
発明の好適な実施形態では、本体部分が、独立気泡エチレン酢酸ビニル(ＥＶＡ)樹脂から製造される。この材料は、その低い電気伝導率に起因して、予想外に良好なクリーニング特質を呈することが見付かっている。この材料はまた、耐久性があり、軽量であり、低い弾性係数を有し、かつ比較的耐久性がある。独立気泡ＥＶＡ樹脂の別の利点は、それが、概ね平滑であることであり、それは、詰まりを防ぐことができる。ＥＶＡなどのような、ラテックスを含まない、独立気泡エラストマー発泡体を使用する更なる利点は、それが、低アレルギー誘発性であること、その上、ラテックスを含まないことであり、それが、ラテックスに対してアレルギー体質のユーザによって使用されることを可能にする。ＥＶＡは、天然ゴムと特質、すなわち、弾性及び耐久性を共有することが考えられているが、安上りであり得る。
【００２１】
適宜に本体部分は、抗菌性品質を有する。本体部分は、独立気泡材料から製造され、それは、細菌の成長を防ぐことができる。細菌は、一般に、悪いことには、非多孔性表面上に培養され、通常、数時間よりも長く生き延びないことが考えられる。適宜に、本体部分には抗菌性添加剤が提供され、それは、デバイスの抗菌特性を更に向上し得る。
【００２２】
ＥＶＡは、他のゴム状材料と関連付けられた多くの特質を共有し、その特質は、製造においてそれを有用にさせる。すなわち、ＥＶＡは、それが、類似の成形可能な温度閾値を共有するので、他の熱可塑性物質と同様に処理することができる。そのように、特別な考慮が、材料を処理する及び／又はデバイスを製造するために要求されない。ＥＶＡはまた、比較的高い摩擦係数を有し、使用中、デバイスの把持を容易にし、かつまた、デバイスのクリーニング能力も向上させる。
【００２３】
チャネルは、ワイパブレードに隣接して形成され、かかる構成は、適宜に、収集された毛及び／又は汚物粒子の保持を助け得る。換言すれば、ワイパブレードによって持ち上げられた毛及び／又は汚物は、チャネルの中に直ちに運ばれ得、そこで、それは、少なくとも一時的に保持される。
【００２４】
ワイパブレードは、四角形縁、先細り縁、面取り縁、及び曲線縁を含む群のうちのいずれか１つ以上を含んでもよい。
【００２５】
発明の一定の及び／又は好適な実施形態では、チャネルが、典型的には、約２〜約２０ｍｍの深さを有し得、それは、典型的なクリーニング動作の間に収集された毛及び／又は汚物粒子を十分に収容することが見付かっている。
【００２６】
チャネル又は複数チャネルの周縁部は、傾斜されてもよく、それは、デバイスが表面にわたって滑るときに、収集された破片をチャネルの中に誘導することを助け得る。縁は、約３０°〜約５０°の範囲の角度において、又は傾斜がチャネルの周りに浅い領域を提供するような任意の角度において、傾斜されてもよい。傾斜した浅い領域は、使用中、ワイパブレードから破片を収集することができ、浅い領域から、例えば、チャネルの近くの又はチャネルの中間点における、比較的増大された深さの領域へと破片を運ぶことを容易にし得る。適宜に、その又は各チャネルは、種々の手法で配向されてもよく、発明の好適な実施形態では、デバイスが、あらゆる方向において使用され得るように、ワイパブレード及びチャネルは、横方向及び長手方向の両方に延在する。
【００２７】
有利には、本体部分は、比較的狭い部分が「隅及び隙間」の中に適合し得、これらの通常到達することが困難な領域から破片を取り除くように、比較的狭い部分を備えてもよい。これは、例えば、小さな角部の中に適合することができないことが多い糸くずローラに比べて有利な点を提供し得る。
【００２８】
好適には、デバイスの本体部分は、ユーザがデバイスを片手で把持及び使用することを容易にするための、人間工学的な形状及び／又は寸法を備える。デバイスは、約５ｃｍの幅及び約１７ｃｍの長さであってもよいが、異なる寸法が使用されてもよいことと、発明の異なる実施形態が、完全に異なるサイズのものであってもよいこと、例えば、デバイスのより小さな(例えば、ポケットサイズの)実施形態が、３ｃｍの幅及び６ｃｍの長さであってもよいことと、が認識される。
【００２９】
有利には、デバイスは、再使用可能であり、それによって、デバイスが、収集された毛及び／又は汚物を取り除くために布を用いて、手で拭き取ってきれいにされ得ること、あるいは単純に流水下で洗い流され得ることが意図される。これは、ブラシの荒毛から毛／汚物を分離することよりもかなり簡単な動作である。デバイスの永久的な再使用可能性は、無駄な／材料使用量の観点、及び経済的観点の両方から有利であると考えられる。
【図面の簡単な説明】
【００３０】
次に、発明の実施形態が、添付の図面を参照して、単なる例として、説明されるものとする。
【００３１】
【図１】発明に従うクリーニングデバイスのある実施形態の上方及び一方側からの斜視図である。
【図２】図１のクリーニングデバイスの下方及び第２の側面からの斜視図である。
【図３】クリーニングデバイスの第２の実施形態の下方及び第１の側面からの斜視図である。
【図４】発明に従うクリーニングデバイスの第３の実施形態の上方及び第１の側面からの斜視図である。
【図５】図４のクリーニングデバイスの下方及び第２の側面からの斜視図である。
【図６】発明に従うクリーニングデバイスの第４の実施形態の上方及び第１の側面からの斜視図である。
【図７】図６のクリーニングデバイスの下方及び第１の側面からの斜視図である。
【図８】図６及び７のクリーニングデバイスの側面図である。
【図９】図６〜８のクリーニングデバイスの上方からの平面図である。
【図１０】図６〜９のクリーニングデバイスの下方からの平面図である。
【発明を実施するための形態】
【００３２】
図面の図１を参照すると、発明に従うクリーニングデバイス１０は、射出成形された、ラテックスを含まない、独立気泡発泡体、好適にはＥＶＡから製造された本体部分１２を備える。本体部分１０は、約１７ｃｍの長さ、約５ｃｍの幅、及び約３ｃｍの厚さであり、それが、使用中、楽に片手で把持されることを可能にする。
【００３３】
本体部分１２は、鼻先部分１６へと導くわずかに凸状の、概ね平滑な上面１４を備え、それは、デバイス１０の一方側２０から他方側２２へと横方向に延在する一連のわずかに下を切り取られた溝１８を備える。わずかに下を切り取られた溝１８は、対応するチャネル２６をわずかに越えて突出する縁２４によって画定された一連のワイパブレードを形成する。
【００３４】
使用中、本体部分は、(図１においてどのように示されたかと比較して)逆であり得、凸状面１４がきれいにされるべき表面(図示せず)を拭き取るために使用された。本体部分１２は、ＥＶＡから製造され、それは良好な電気的絶縁体であり、かつそれは比較的高い摩擦係数を有するので、凸状面１４は、使用中、静電荷を蓄積し、それは、毛及び他の汚物粒子を凸状面１４の上に引き付ける。そのように収集された毛及び汚物粒子は、例えば、クリーニング動作後に、拭き取ることによって、又は流水下でデバイスを洗い流すことによって、容易に取り除くことができる。
【００３５】
あるいは、デバイス１０は、鼻先部分１６が、きれいにされるべき表面に対してこすられ得るように、わずかに傾斜させることができ、その場合において、一連の縁２４が、表面から毛及び汚物粒子を持ち上げることを容易にし、その場合、それらが、それぞれのワイパブレード縁２４にすぐ隣接するチャネル２６内に収集される。またもや、そのように収集された毛及び汚物粒子は、手によって、例えば、クリーニング動作後に拭き取ることによって、又は流水下でデバイスを洗い流すことによって、容易に取り除くことができる。
【００３６】
図１において、デバイスの側壁２０、２２が、小塊２８のアレイを備えることもまた見られ得、それは、使用中、デバイスを手で把持することを容易にし、かつそれはまた、仮に、デバイス１０をその側面上で傾斜させ、かつデバイス１０の側壁２０、２２がきれいにされるべき表面に対してこすられる場合、きれいにされるべき表面から毛及び汚物粒子を持ち上げることを容易にするためにも使用され得る。
【００３７】
図面の図１に例解される構成は、それがクリーニング表面にきたときに、ユーザに種々の選択肢、例えば、凸状面１４を使用して優しく拭き取ること、デバイスの鼻先部分１６を使用する隅及び隙間におけるより強力なクリーニング、又はデバイス１０の側壁２０、２２を使用する中間的なクリーニングを提供することが認識される。
【００３８】
図１のデバイス１０の下側が、図面の図２に示され、その図から、デバイス１０が、概ね平坦な下面３０を有することが見られ得、その下面は、デバイス１０の主なクリーニング面を形成する。下面３０は、一対の細長いチャネル３２を備え、それは、長手方向のワイパブレード３４、及び一対の横方向のワイパブレード３６を画定する。
【００３９】
チャネル３２は、比較的深い中央部分３８を備え、それは、その端部において約３０度の角度で傾斜４０し、横方向のワイパブレード３６に合流する。チャネル３２の側壁４２は、長手方向のワイパブレード３４に対して実質的に四角形である。この構成は、２つのわずかに異なるクリーニングモード、すなわち、デバイス１０が、左右４６に移動されるより活動的なクリーニングモードであって、それによって、長手方向のワイパブレード３４の四角形縁が、きれいにされるべき表面から毛及び汚物粒子をそぎ落す、活動的なクリーニングモードと、デバイス１０が長手方向４８に移動される活動的でないモードであって、横方向のワイパブレード３６に導く傾斜表面４０が、きれいにされるべき表面からより優しく毛及び汚物粒子を持ち上げる、活動的でないモードと、を提供する。いずれの場合においても、収集された破片は、チャネル３２内に集積され、そこから、それは、例えば、それぞれ、布又は流水を使用して、チャネルから拭き取られ得るか、又は洗い流され得る。
【００４０】
図３は、デバイス１０の別の実施形態を示し、それにおいて、下側が、前に説明されたものと同様に、概ね平坦面３０を有する。しかしながら、図３の実施形態では、輪形状のチャネル５０によって囲まれた、概ね直線の中央チャネル３２が存在し、このため、４つの長手方向のワイパブレード３４及び４つの横方向のワイパブレード３６を画定する。ワイパブレード３４、３６及びチャネル３２、５０の機能並びに動作は、前に説明されるようなものである。
【００４１】
発明の更なる実施形態が、図面の図４及び５に示され、それにおいて、デバイス１０は、ある動物、この場合では、クロコダイルの形態に形作られる。デバイス１０の側壁２０、２２の外形は、隆起した「背」６０及び「鼻」６２を有するクロコダイルの形状を有する。そのように形成された隆起部１８は、図面の図１に関して、前に説明された一連の横方向のブレード２４及びチャネル２６を作り出す。
【００４２】
下側から見ると、図面の図５に示されるように、クロコダイルの「足」６４は、優しく拭き取る動作について前に説明されたように使用され得る概ね平滑な、平坦な表面１４を形成することが見られ得る。更に、「鼻」６２の下側及び「尾」６６の下側には、横に延在する溝が設けられ、前に説明されたワイパブレード２４及びチャネル２６を形成する。デバイスの外形は、ある範囲の動物、例えば、猫、犬、齧歯類等に似せて形作られ得、それは、それらの動物の所有者にアピールし得ることが認識される。
【００４３】
発明の好適な実施形態では、図面の図６〜１０に見られ得るように、デバイス１１０が、アーチ状の前縁１１２及び概ね平坦な後縁１１４を備える。
【００４４】
デバイス１１０のアーチ状前縁１１２(第１のワイパブレード)は、使用中、動物の体の凸状外形と係合可能であるように構成された、(タイヤトレッドに少し類似した)複数の溝１１８を凹状内面１１６の中に提供する。アーチ１１２の曲半径１１６は、意図された対象の動物に依存するが、通常、約６０ｍｍである。アーチの下面は、溝１１８によって分離された複数の別個のブロック部分１２０で構成される第１のワイパブレードを形成し、それは、図面の図７及び８により明確に見ることができる。ブロック部分１２０は、内側に向く面取り縁１２４を有する概ね角錐台形状である。
【００４５】
デバイス１１０の後縁１１４(第２のワイパブレード)は、底が概ね平坦であるがまた、別個のワイパブレードブロック部分１３２を分離する溝１３０をその中に有する。後縁１１４はまた、内側に向く面取り縁１３６を備える。
【００４６】
デバイス１１０の前縁１１２及び後縁１１４の間には、中央溝１４０が位置する。中央溝１４０は、実質的に、デバイス１１０の長さに延在し、かつ使用中、毛及び／又は破片を収集するように適合される。
【００４７】
動物に対して、使用中、デバイス１１０の前縁１１２が、ブラシと類似の手法で、動物の柔毛を引き離すように適合されるという点で、手入れをするものとして機能することが考えられ得る。柔毛が一旦引き離されると、ゆるんだ柔毛、又は他の破片が、前縁１１２のワイパブレード１２０、１１８に接着し得るか、あるいはそれによって拾い上げら得、その後、面取り縁１２４を経由して、デバイス１１０の中央溝１４０の中へと進む。収集された柔毛は、後縁１１４を経由して中央溝１４０から去ることを防止／阻止される。
【００４８】
更に又は代わりに、デバイス１１０は、平坦な表面、例えば、床上で使用されてもよく、それにおいて、デバイス１１０の概ね平坦な後縁１１４のみが、床面と係合するように構成される。この場合において、ゆるんだ毛及び／又は破片が、適宜に、前縁１１２によって形成されたアーチの下に渡され、中央溝１４０内の後縁１１４により、その面取り縁１３６によって捕らえられる。
【００４９】
デバイス１１０の下面の後部の近くには、図１０に見られ得るように、一対の山形状のワイパブレード１３６１、１３６２の間に位置する更なる独立した溝１４２が設けられており、それは、主要な中央溝１４０から分離されている。使用中、デバイス１１０のこの部分は、前後の動き１３６４を使用してより精力的な手入れをするために使用されてもよい。
【００５０】
図面の図６及び９を参照すると、デバイス１１０の上面は、人間工学的な形状を提供するように、概ね凸状１４であることが見られ得る。デバイス１１０の中間区分の後部に向かって、概ね角錐台形状のブロック部分１４４の格子状アレイが設けられている。ブロック部分１４４は、溝１４６によって分離されている。使用中、上面は、動物の手入れをするための及び／又は平坦な若しくは凹状表面を拭き取るための更なる手段を提供する。ブロック部分１４４の格子状アレイは、デバイス１１０が、クリーニング及び／又は手入れを達成するように前後に、左右に、又は円運動で使用されることを可能にする。
【００５１】
デバイス１１０の前部の近くには、２つの相隔たる浅い凹部又は窪み１４８が更に儲けられ、それは、使用中、ユーザの指を有益に収容し、このため、デバイス１１０の人間工学的な特質を改善することが考えられ得る。小塊１４６２がまた、デバイス１１０の前部上面上に設けられ、それは、使用中、動物をマッサージするために使用されてもよい。
【００５２】
発明は、発明の単なる例示的なものである前述の実施形態の詳細に制限されない。例えば、形状、サイズ、及び寸法は、指示又は推論される場合、単なる例示的なものであり、他の形状及び寸法が、異なる適用に適応させるように選択されてもよい。発明の異なる実施形態からの特徴の組み合わせ、例えば、デバイスの片側上の図面の図２に例解されるチャネル及び、デバイスの別の表面上の、仮に図３のチャネルもまた、発明の範囲によって予想され、かつその範囲内に含まれる。
【００５３】
以下の記述は、請求項ではないが、発明の種々の可能な特徴に関する。
記述１．使用中、ペットの毛及び粒子を拾い上げるのに適したクリーニングデバイスであって、一体形成されたワイパブレード及びワイパブレードに隣接する一体形成されたチャネルを含む面を備えるユニット式の、エラストマー性本体を備える、クリーニングデバイス。
記述２．使用中、毛及び粒子を拾い上げるのに適したクリーニングデバイスであって、一体形成されたワイパブレード及びワイパブレードに隣接する一体形成されたチャネルを含む面を備えるユニット式の、エラストマー性本体を備え、本体部分が、ラテックスを含まない、独立気泡エラストマー発泡体から製造される、クリーニングデバイス。
記述３．複数の一体形成されたワイパブレード及び複数の一体形成されたチャネルを備える、記述１又は２のクリーニングデバイス。
記述４．その又は各ワイパブレードが、使用中、きれいにされるべき表面から毛及び／又は他の汚物粒子を持ち上げるように適合され、収集された毛及び／又は汚物粒子が、そのワイパブレードに隣接するチャネル内に保持される、いずれかの先行する記述のクリーニングデバイス。
記述５．本体部分が、発泡エラストマーから製造される、いずれかの先行する記述のクリーニングデバイス。
記述６．本体部分が、独立気泡エラストマー発泡体から製造される、いずれかの先行する記述のクリーニングデバイス。
記述７．本体部分が、樹脂エラストマーから製造される、いずれかの先行する記述のクリーニングデバイス。
記述８．本体部分が、独立気泡エチレン酢酸ビニル(ＥＶＡ)から製造される、いずれかの先行する記述のクリーニングデバイス。
【図１】
2018515318.tif 000003
【図２】
2018515318.tif 000004
【図３】
2018515318.tif 000005
【図４】
2018515318.tif 000006
【図５】
2018515318.tif 000007
【図６】
2018515318.tif 000008
【図７】
2018515318.tif 000009
【図８】
2018515318.tif 000010
【図９】
2018515318.tif 000011
【図１０】
2018515318.tif 000012
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
使用中、毛及び粒子を拾い上げるのに適したクリーニングデバイスであって、一体形成されたワイパブレード及び前記ワイパブレードに隣接する一体形成されたチャネルを含む面を備える、ユニット式のエラストマー性本体を備え、前記本体部分が、独立気泡エチレン酢酸ビニル（ＥＶＡ）から製造される、クリーニングデバイス。
【請求項２】
複数の一体形成されたワイパブレード及び複数の一体形成されたチャネルを備え、前記ワイパブレードのうちの第１のものが、アーチ状外形を備え、前記ワイパブレードのうちの第２のものが、底が概ね平坦の外形を備える、請求項１に記載のクリーニングデバイス。
【請求項３】
前記又は各ワイパブレードが、１つ以上の横断溝をその中に備え、その結果、前記ワイパブレード又は複数のブレードが、前記横断溝によって分離された複数の別個のブロック部分を備える、請求項１に記載のクリーニングデバイス。
【請求項４】
前記独立気泡ＥＶＡが、抗菌性添加剤を含む、請求項１に記載のクリーニングデバイス。
【請求項５】
前記チャネルの側壁又は端壁が、実質的に９０度の角度、及び実質的に３０〜５０度の角度から成る群のうちの１つ以上において、前記ワイパブレードの中へと導く、請求項１に記載のクリーニングデバイス。
【請求項６】
前記チャネルが、１つ以上の下を切り取られた溝を備え、前記下を切り取られた溝が、前記デバイスの片側から他方側へ横方向に延在し、前記下を切り取られた溝が、それらの対応するチャネルをわずかに越えて突出する縁によって画定された１つ以上のワイパブレードを形成する、請求項１に記載のクリーニングデバイス。
【請求項７】
前記本体部分が、小塊のアレイを備える表面であって、前記小塊が、溝によって分離された概ね角錐台形状のブロックの格子状アレイを含む、表面と、凸状の、概ね平滑な表面と、比較的狭い部分及び比較的広い部分と、を含む群のうちのいずれか１つ以上を備える、請求項１に記載のクリーニングデバイス。
【請求項８】
前記本体部分が、４つの長手方向のワイパブレード及び４つの横方向のワイパブレードを画定する、輪形状のチャネルによって囲まれた概ね直線の中央チャネルを備える、請求項１に記載のクリーニングデバイス。
【請求項９】
前記本体部分が、人間工学的な形状及び／又は寸法を含み、前記本体部分は、約５ｃｍの幅、約１７ｃｍの長さ、及び約３ｃｍの高さがある、請求項１に記載のクリーニングデバイス。
【請求項１０】
前記本体部分が、クロコダイル、猫、犬、及び齧歯類を含む群のうちのいずれか１つ以上に似せて形作られた側部外形を備える、請求項１に記載のクリーニングデバイス。
【国際調査報告】
2018515318.tif 000013
2018515318.tif 000014
2018515318.tif 000015
2018515318.tif 000016
2018515318.tif 000017